(57)【要約】【課題】流し台の高さと身長の関係が適切でなければ前屈みの姿勢になる事を強制されるので腰部に大きな負担がかかりつらい作業になっている。また水洗作業時に主婦の腹部が流し台に接触し体温が吸収され婦人特有の疾病の原因にもなっている事。【解決手段】流し台の前縁を身体を寄りかからせる部分として流用する事と、断熱機能とを組み合わせる事により、流し台の前縁に装着が容易にできる補助器具として提供しようとするものである。【選択図】図１
2004066000.tif 000002
【特許請求の範囲】
【請求項１】
　人体と接触する部分を加温しない事を特徴とする流し台及び洗面台において、人体と接触する部分を断熱材で覆う事を特徴とする器具。
　
　
　
【発明の詳細な説明】
【技術分野】
【０００１】
　この発明は台所の流し台や洗面台のような水洗作業などの為に立ち仕事を行う事を前提に制作された器具の改良に関する。以下の説明においては流し台を例にして説明する。
　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。
　この姿勢の時流し台には主婦の腹部が接触し外気温が低い冬などの場合には体温がその接触部を介して流し台に吸収されるので特につらい作業となっている。さらに不都合な事には婦人にとって腹部が冷却される事は医学的にも極めて好ましくない事は周知である。
　そこでこの発明の目的は、主婦が流し台の前縁に体重をあずけて作業をする際に腹部と接触する流し台の部分をあらかじめ断熱器具で覆っておく事によって腹部からの流し台への放熱を回避し、婦人にとって医学的にも好ましい状況を現出せしめて婦人特有の疾病の予防などにも貢献しようとするものである。
　
【背景技術】
【０００２】
　人体と流し台との間に器具を配し立ち姿勢を保持して長時間作業しても足腰にかかる負担を軽減する事ができるものとして特開平０７−２０４０３８、特開平０９−１６８４８７などが提案されている。
　
【０００３】
　しかし、従来のものはすべて流し台の製造時に配設する事を前提にしているものであって、型式の異なる流し台には適用ができないものであった。そのためにこの種の流し台の補助器具を広く普及せしめる事ができなかった。
【特許文献１】特開平０７−２０４０３８
【特許文献２】特開平０９−１６８４８７
【発明の開示】
【発明が解決しようとする課題】
【０００４】
　この発明が解決しようとする課題の第一点は、作業中に接触する身体の部位から体温が吸収される事を防止する点にある。課題の第二点は、その目的を実現する為に流し台本体に特別な機構を必要とせず、身長に関わらずだれでも快適に作業できる流し台に変貌させる為の補助器具を安価に提供しようとする点にある。
　
【課題を解決するための手段】
【０００５】
　この発明の第一の手段は流し台での作業中に身体と接触する部分を断熱処理するものであり、第二の手段は積極的に身体をもたれかけさせる部分として流し台本体の一部分を流用する点にある。
　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、断熱機能とを組み合わせる事により、上述の算定基準の拘束から離れたものである。その結果、流し台の前縁に装着が容易にでき、かつ断熱機能を有する補助器具として、実施例に示す断熱器具となったものである。
　
【発明の効果】
【０００６】
　主婦（図示せず）が流し台前縁にもたれかかっても断熱シ−ト１により体温が流し台に奪われる事は無く快適に作業ができる。直接流し台に身体が接触する場合に比べて自分の体温によって暖かく感じる事が出来る。この事は流し台の主たる使用者である主婦にとって婦人特有の疾病の予防にもなる事はいうまでもない。
　
【発明を実施するための最良の形態】
【０００７】
　流し台の前縁の形状に密着する断熱材の形状は種々のものが考えられるが、より好ましくは、軟質の合成樹脂や空気袋等によってなり、人体との接触面積が大きくなるような構造であれば、腹部にかかる局所的な荷重を分散してさらに心地よく作業ができる。
　また、流し台の製造時に人体と接触する部分を、予め低熱伝導率で軟質かつ撥水性の合成樹脂板などに、裏面を赤外線を反射する銀色フィルム等でコ−ティングしたものを用いて、充分に広い面積を被覆しておけば、接触による人体からの熱流出を阻害できるので体温が奪われずこの発明の効果を発揮できる。さらにその部分が適度にデザインされ暖系色などに着色されていればより好ましい。
　また、断熱シ−ト１として例えば発泡ウレタンのように高分子基材に硬化剤を混合する形態で提供すれば常温下でも使用者の流し台の前縁形状に密着するように形成させる事ができる。あるいは、熱によって塑性変形するような高分子素材を用いれば熱湯などによって流し台の前縁形状に密着するように形成させる事ができる。さらにまた入れ歯安定剤のような高分子材料を素材として製作したフィルム状のものを流し台との接合面に貼着しておくかまたは接着剤の代用として提供すれば、より簡単に流し台の前縁に脱着が可能となる。
　また、人体がもたれかかった時の圧力によって塑性変形し、個々の主婦の腹部の形状に従って柔軟に変形する発泡性の高分子素材を用いれば、より好ましく人体を支持できる事はいうまでもない。
　さらに各種のエラストマ−（常温でゴム状の弾性を有する高分子物質）で構成すれば弾力性のある質感を得る事ができるので主婦には好評となる。
　以上のように、断熱シ−ト１は、その部材の選定により流し台に固定する為の吸盤３などは必ずしも必要としていない事は自明である。
　また、銀色塗装に替えて赤外線を反射する銀色フィルム等を表面や裏面に貼着するか、または断熱シ−ト１に内在させても同様な効果を発揮する事はいうまでもない。
　また断熱シ−ト１を柔軟な薄い板状で提供すれば主婦が自宅の流し台の大きさに合わせて任意に裁断して使用する事ができる。
　この発明の思想は流し台や洗面台に限らず立ち仕事を行う事を前提に制作された作業台などの改良にも応用できるものである。
　
【実施例】
【０００８】
　図１はその構成図である。１は断熱シ−ト、２は断熱シ−ト裏面、３は吸盤、４は使用状態にある断熱シ−ト、５は流し台である。
　これは最も安価にこの発明の効果を享受できるものである。この実施例における断熱シ−ト１の形状は厚さが約１ｃｍ、幅が約５０ｃｍ、奥行きが約５０ｃｍの大きさの柔らかい発泡樹脂板（例えば発泡ポリエチレンなど）である。断熱シ−ト１の表面にはポリプロピレン等のフィルムが接着されており断熱シ−ト１が水分を含まないように加工されている。断熱シ−ト裏面２は銀色塗装されており人体から発した赤外線が反射されて人体に帰ってくるので一層の断熱効果が得られる。吸盤３は断熱シ−ト裏面２に適宜取り付けられており流し台５に吸い付ける事によって断熱シ−ト１を流し台５に固定する。主婦（図示せず）が流し台前縁にもたれかかっても断熱シ−ト１により体温が流し台に奪われる事は無く快適に作業ができる。
　なお、発泡樹脂板に替えてエア−キャップなどと呼ばれている梱包用緩衝材を用いても同様な効果を得る事が出来る。これは直径が約５ｍｍで長さが約５ｍｍの円柱状の空気の袋を上下からビニ−ルシ−トに接着したものであり空気層を形成しているので伝導による熱の移動を発生させないからである。
　
【図面の簡単な説明】
【０００９】
【図１】構成図
【符号の説明】
【００１０】
　１　断熱シ−ト
　２　断熱シ−ト裏面
　３　吸盤
　４　使用状態にある断熱シ−ト
　５　流し台。
　
　
　
【図１】
2004066000.tif 000003
【手続補正書】
【提出日】平成15年10月9日(2003.10.9)
【手続補正１】
【補正対象書類名】特許請求の範囲
【補正対象項目名】全文
【補正方法】変更
【補正の内容】
【特許請求の範囲】
【請求項１】
　人体と接触する部分を加温しない事を特徴とする流し台及び洗面台において、人体と接触する部分を、空気層よりなる極めて薄い断熱材で覆う事を特徴とする器具。　　　　
【手続補正２】
【補正対象書類名】明細書
【補正対象項目名】全文
【補正方法】変更
【補正の内容】
【発明の詳細な説明】
【技術分野】
【０００１】　この発明は台所の流し台や洗面台のような水洗作業などの為に立ち仕事を行う事を前提に制作された器具の改良に関する。以下の説明においては流し台を例にして説明する。　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。　この姿勢の時流し台には主婦の腹部が接触し外気温が低い冬などの場合には体温がその接触部を介して流し台に吸収されるので特につらい作業となっている。さらに不都合な事には婦人にとって腹部が冷却される事は医学的にも極めて好ましくない事は周知である。　そこでこの発明の目的は、主婦が流し台の前縁に体重をあずけて作業をする際に腹部と接触する流し台の部分をあらかじめ断熱器具で覆っておく事によって腹部からの流し台への放熱を回避し、婦人にとって医学的にも好ましい状況を現出せしめて婦人特有の疾病の予防などにも貢献しようとするものである。　
【背景技術】
【０００２】　人体と流し台との間に器具を配し立ち姿勢を保持して長時間作業しても足腰にかかる負担を軽減する事ができるものとして特開平０７−２０４０３８、特開平０９−１６８４８７などが提案されている。　【０００３】　しかし、従来のものはすべて流し台の製造時に配設する事を前提にしているものであって、型式の異なる流し台には適用ができないものであった。そのためにこの種の流し台の補助器具を広く普及せしめる事ができなかった。【特許文献１】特開平０７−２０４０３８
【特許文献２】特開平０９−１６８４８７
【発明の開示】
【発明が解決しようとする課題】
【０００４】　この発明が解決しようとする課題の第一点は、作業中に接触する身体の部位から体温が吸収される事を防止する点にある。課題の第二点は、その目的を実現する為に流し台本体に特別な機構を必要とせず、身長に関わらずだれでも快適に作業できる流し台に変貌させる為の補助器具を安価に提供しようとする点にある。　
【課題を解決するための手段】
【０００５】　この発明の第一の手段は流し台での作業中に身体と接触する部分を断熱処理するものであり、第二の手段は積極的に身体をもたれかけさせる部分として流し台本体の一部分を流用する点にある。　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、断熱機能とを組み合わせる事により、上述の算定基準の拘束から離れたものである。その結果、流し台の前縁に装着が容易にでき、かつ断熱機能を有する補助器具として、実施例に示す断熱器具となったものである。　
【発明の効果】
【０００６】　主婦（図示せず）が流し台前縁にもたれかかっても断熱シ−ト１により体温が流し台に奪われる事は無く快適に作業ができる。直接流し台に身体が接触する場合に比べて自分の体温によって暖かく感じる事が出来る。この事は流し台の主たる使用者である主婦にとって婦人特有の疾病の予防にもなる事はいうまでもない。さらに流し台周辺の空間を大きく占有せず違和感を与えない。また極めて安価に提供できる。　
【発明を実施するための最良の形態】
【０００７】　銀色塗装に替えて赤外線を反射する銀色フィルム等を表面や裏面に貼着するか、または断熱シ−ト１に内在させても同様な効果を発揮する事はいうまでもない。　この発明の思想は流し台や洗面台に限らず立ち仕事を行う事を前提に制作された作業台などの改良にも応用できるものである。　
【実施例】
【０００８】　図１はその構成図である。１は断熱シ−ト、２は断熱シ−ト裏面、３は吸盤、４は使用状態にある断熱シ−ト、５は流し台である。　これは最も安価にこの発明の効果を享受できるものである。この実施例における断熱シ−ト１の形状は厚さが約５ｍｍ、幅が約５０ｃｍ、奥行きが約５０ｃｍの大きさの柔らかい板状のもので、直径が約５ｍｍで長さが約５ｍｍの円柱状の空気の袋を上下からビニ−ルシ−トに接着したものであり空気層を形成しているので伝導による熱の移動を発生させないものである。断熱シ−ト１の表面にはポリプロピレン等のフィルムが接着されており断熱シ−ト１が水分を含まないように加工されている。断熱シ−ト裏面２は銀色塗装されており人体から発した赤外線が反射されて人体に帰ってくるので一層の断熱効果が得られる。吸盤３は断熱シ−ト裏面２に適宜取り付けられており流し台５に吸い付ける事によって断熱シ−ト１を流し台５に固定する。主婦（図示せず）が流し台前縁にもたれかかっても断熱シ−ト１により体温が流し台に奪われる事は無く快適に作業ができる。　
【図面の簡単な説明】
【０００９】
【図１】構成図
【符号の説明】
【００１０】　１　断熱シ−ト　２　断熱シ−ト裏面　３　吸盤　４　使用状態にある断熱シ−ト　５　流し台。　　　　
【手続補正書】
【提出日】平成15年10月9日(2003.10.9)
【手続補正１】
【補正対象書類名】特許請求の範囲
【補正対象項目名】全文
【補正方法】変更
【補正の内容】
【特許請求の範囲】
【請求項１】
　人体と接触する部分を加温しない事を特徴とする流し台及び洗面台において、人体と接触する部分を、断熱材で覆う事を特徴とする器具。　　　　
【手続補正２】
【補正対象書類名】明細書
【補正対象項目名】全文
【補正方法】変更
【補正の内容】
【発明の詳細な説明】
【技術分野】
【０００１】　この発明は台所の流し台や洗面台のような水洗作業などの為に立ち仕事を行う事を前提に制作された器具の改良に関する。以下の説明においては流し台を例にして説明する。　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。　この姿勢の時流し台には主婦の腹部が接触し外気温が低い冬などの場合には体温がその接触部を介して流し台に吸収されるので特につらい作業となっている。さらに不都合な事には婦人にとって腹部が冷却される事は医学的にも極めて好ましくない事は周知である。　そこでこの発明の目的は、主婦が流し台の前縁に体重をあずけて作業をする際に腹部と接触する流し台の部分をあらかじめ断熱器具で覆っておく事によって腹部からの流し台への放熱を回避し、婦人にとって医学的にも好ましい状況を現出せしめて婦人特有の疾病の予防などにも貢献しようとするものである。　
【背景技術】
【０００２】　人体と流し台との間に器具を配し立ち姿勢を保持して長時間作業しても足腰にかかる負担を軽減する事ができるものとして特開平０７−２０４０３８、特開平０９−１６８４８７などが提案されている。　【０００３】　しかし、従来のものはすべて流し台の製造時に配設する事を前提にしているものであって、型式の異なる流し台には適用ができないものであった。そのためにこの種の流し台の補助器具を広く普及せしめる事ができなかった。【特許文献１】特開平０７−２０４０３８
【特許文献２】特開平０９−１６８４８７
【発明の開示】
【発明が解決しようとする課題】
【０００４】　この発明が解決しようとする課題の第一点は、作業中に接触する身体の部位から体温が吸収される事を防止する点にある。課題の第二点は、その目的を実現する為に流し台本体に特別な機構を必要とせず、身長に関わらずだれでも快適に作業できる流し台に変貌させる為の補助器具を安価に提供しようとする点にある。　
【課題を解決するための手段】
【０００５】　この発明の第一の手段は流し台での作業中に身体と接触する部分を断熱処理するものであり、第二の手段は積極的に身体をもたれかけさせる部分として流し台本体の一部分を流用する点にある。　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、断熱機能とを組み合わせる事により、上述の算定基準の拘束から離れたものである。その結果、流し台の前縁に装着が容易にでき、かつ断熱機能を有する補助器具として、実施例に示す断熱器具となったものである。　
【発明の効果】
【０００６】　主婦（図示せず）が流し台前縁にもたれかかっても断熱シ−ト１により体温が流し台に奪われる事は無く快適に作業ができる。直接流し台に身体が接触する場合に比べて自分の体温によって暖かく感じる事が出来る。この事は流し台の主たる使用者である主婦にとって婦人特有の疾病の予防にもなる事はいうまでもない。さらに流し台周辺の空間を大きく占有せず違和感を与えない。また極めて安価に提供できる。　
【発明を実施するための最良の形態】
【０００７】　流し台の前縁の形状に密着する断熱材の形状は種々のものが考えられるが、より好ましくは、人体との接触面積が大きくなるような構造であれば、腹部にかかる局所的な荷重を分散してさらに心地よく作業ができる。　また、流し台への脱着に関して、断熱シ−ト１を薄く製作し、入れ歯安定剤のような吸着性のある材料を断熱シ−ト裏面２に貼着させておけば、吸盤３を必要とせずに流し台に脱着できる。また流し台近傍の空間を大きく占有する事もなく違和感を与える事もない。その上、主婦が自宅の流し台の大きさに合わせて任意に裁断して使用する事ができるので応用範囲を広げる事ができる。また断熱シ−ト１の表面が適度にデザインされ暖系色などに着色されるなどしていればより好ましい。　また本発明は、断熱シ−ト１の脱着に関して、容易に新品と交換できる機構を、流し台の製造時に、流し台５と断熱シ−ト１の双方に適宜配しておく事を否定しているものではない。　さらに、銀色塗装に替えて赤外線を反射する銀色フィルム等を表面や裏面に貼着するか、または断熱シ−ト１に内在させても同様な効果を発揮する事はいうまでもない。　この発明の思想は流し台や洗面台に限らず立ち仕事を行う事を前提に制作された作業台などの改良にも応用できるものである。　
【実施例】
【０００８】　図１はその構成図である。１は断熱シ−ト、２は断熱シ−ト裏面、３は吸盤、４は使用状態にある断熱シ−ト、５は流し台である。　これは最も安価にこの発明の効果を享受できるものである。この実施例における断熱シ−ト１の形状は厚さが約５ｍｍ、幅が約５０ｃｍ、奥行きが約５０ｃｍの大きさの柔らかい板状のもので、直径が約５ｍｍで長さが約５ｍｍの円柱状の空気の袋を上下からビニ−ルシ−トに接着したものであり空気層を形成しているので伝導による熱の移動を発生させないものである。断熱シ−ト１の表面にはポリプロピレン等のフィルムが接着されており断熱シ−ト１が水分を含まないように加工されている。断熱シ−ト裏面２は銀色塗装されており人体から発した赤外線が反射されて人体に帰ってくるので一層の断熱効果が得られる。吸盤３は断熱シ−ト裏面２に適宜取り付けられており流し台５に吸い付ける事によって断熱シ−ト１を流し台５に固定する。主婦（図示せず）が流し台前縁にもたれかかっても断熱シ−ト１により体温が流し台に奪われる事は無く快適に作業ができる。　
【図面の簡単な説明】
【０００９】
【図１】構成図
【符号の説明】
【００１０】　１　断熱シ−ト　２　断熱シ−ト裏面　３　吸盤　４　使用状態にある断熱シ−ト　５　流し台。